(57)【要約】【課題】的としての機能を有し、尿の作用でスクリュープロペラ状に形成された回転体２を周回させて尿が周囲に飛散しないようにする。【解決手段】回転軸４に尿通過孔１０が穿孔された空気及び尿抜き部６を介して取っ手７が連設されている。尿通過孔１０は回転軸４の中空部に連通開口している。回転軸４の周面には同一周方向に捻じって傾斜する羽根５を周方向に所定角度を有して離隔して設け、羽根５の外端上端部は尿飛散防止壁８を連設している。尿飛散防止壁８の内壁及び外壁は表面側から裏面側にかけて外側へ傾斜し、平視が環状に形成されている。【選択図】図１
2015094212.tif 000002
【特許請求の範囲】
【請求項１】
生分解性合成樹脂よりなり、便器本体の内壁面に取り付けて使用する尿飛散防止具であって、
羽根及び尿飛散防止壁が回転軸と同期回転するように形成された回転体と、該回転体を回転可能に支持する回転体支持体とよりなり、
前記回転体は、空気及び尿抜き部を介して上部に取っ手を連続して設けた回転軸と、羽根、及び尿飛散防止壁よりなり、
前記回転軸は下方を開口した中空体に形成され、回転軸周面には複数の羽根を周方向に所定角度を有して離隔し、且つ、前記回転軸の軸心線に対して夫々が回転方向とは反対方向の同一周方向に同一角度を以って傾斜して連設され、
前記空気及び尿抜き部は、前記取っ手の基部から前記回転軸の上端に亘り外傾する傾斜面に尿通過孔を穿設し、該尿通過孔は前記回転軸の中空部と連通し、
前記尿飛散防止壁は、外傾する内壁面を具備する環状に形成され、内壁面の上端には前記羽根の外端のうち上端部が連設され、
前記回転体支持体は、裏面に便器本体内壁に取付可能な手段を具備し、表面には支持棒を立設した台座よりなり、
前記回転軸の中空部に、該中空部の下方開口から前記支持棒を差し込んで回転体に回転体支持体を取り付け、台座裏面を便器本体内壁面に取り付けた状態で、前記回転体に放尿すると、表面に当たった尿の作用で前記回転体は前記支持棒を中心として羽根の傾斜方向とは反対方向に回転し、尿は羽根の表面から回転方向の後方に位置する羽根の裏面側を流れて便器本体内壁面へ流れ、
羽根の表面に衝突した尿のうち反射した飛散尿は、尿飛散防止壁の内壁面に衝突し、該内壁面より便器本体内壁面へと流れ、
取っ手に当たった尿は、取っ手周面に沿って流下し、前記空気及び尿抜き部の尿通過孔を通過して台座面より便器本体の内壁面へ流れるようにしたことを特徴とする尿飛散防止具。
【請求項２】
上記羽根の傾斜角度は、上記回転軸の軸心に対し０度を超えて４５度以下であることを特徴とする請求項１に記載の尿飛散防止具。
【発明の詳細な説明】
【技術分野】
【０００１】  本願発明は、洋式便器や小便器の便器本体内壁面に取り付けて使用する尿飛散防止具であって、詳しくは男性が立った状態で便器本体内に放尿をしても尿は便器本体の内壁面で跳ね返ることがなく、排水口方向へ流れるようにした尿飛散防止具に関する。
【背景技術】
【０００２】  この種の発明として、菱形底面の四角錐体の４本の側辺のうち２本の長い側辺が排水口の横幅方向中心線の延長線上に位置し、且つ対向側辺のうち頂点を中心として下側に位置する側辺の下端が排水口縁前方中心位置に連続するように洋式便器本体内壁面に四角錐体突起が一体的に設けられ、男性が立った状態で放尿すると、尿のうち四角錐体の頂点に衝突した尿は側面に沿って流下し、四角錐体突起の側面に衝突した尿は便器本体内壁面に跳ね返るようにした便器内放尿音の消音及び尿水飛散防止便器が提案されている（例えば、特許文献１参照）。
特許文献１に開示の発明であると、図面の［図１］に図示するように便器本体内壁面の排水口後方に四角錐体突起を設けた場合、四角錐体突起取付位置が大便の落下位置にあたり、大便排泄者の排泄口（肛門）から落下した大便が四角錐体突起表面に付着し掃除が面倒であり不潔である。また、放尿量が少量の場合や尿勢が弱い場合は、尿が四角錐体突起まで届かず、四角錐体突起は放尿時の尿音の消音及び尿の周辺への飛散防止機能を果たすことができないという問題点があった。図面の［図２］に図示するように、排水口の前方に四角錐体突起を設けた場合、放尿量が多量であると四角錐体突起の高さが低いことを理由に、尿勢の強い尿が四角錐体突起の頂点に当たると頂点に反射し、反射した尿は飛沫となって便器本体内壁面や便器外側方に飛散し、又、四角錐体突起の側面に衝突した尿は便器本体内壁面の前側部に飛散する事態が生じ、尿が全く跳ね返ることなくスムーズに排水口方向へ流れるということはないという問題点があった。
便座本体の左右にシートを対設することが提案されている。詳しくは、扇状シートに蛇腹状折り目を形成したシートの周方向両側縁を便座の下面と便器本体上端面に夫々取り付け、便座を上げると便座下面と便座本体上面との間に扇状にシートが展開してシートの内側面で左右側方への尿の飛沫を受け止め、便座を降すと便座と便座本体との間にシートが折り畳まれてコンパクトに収納できるトイレ飛散防止シートが提案されている  （例えば、特許文献２参照）。
特許文献２に開示の発明であると、蛇腹状折目を有するシートの表面に付着した尿や埃を清掃する場合、シートが折り目を堺として交互に向きが異なり、また、汚れが折り目のうち谷折部分に入り込み、シートの清掃作業に手間を要する。放尿者から見て左右両側方への尿の飛散はシートで受け止めることは可能である。しかしながら、シートが放尿者が立つ正面側には設けていないために、放尿者の方向、つまり便器本体前方への尿の飛散を受け止めることができない。正面方（前方）への尿の飛沫は放尿者に直接的に当たり、放尿者の衣服や便器本体正面側の便所床面を飛散した尿で汚すという問題点があった。
突起或は毛羽を表面に有するペーパー、若しくはスポンジ状ペーパーを洋式便器の水面に浮かべ、その上に放尿することや、水面に別途設けたボンベから泡を水面に放出し、該泡上に放尿することで泡で尿の衝撃を受け止め、結果的に尿の飛散を防止することが提案されている（例えば、特許文献３参照）。
特許文献３に開示の発明であると、ペーパー類の下水への送込み量が多くなり、パイプ詰まりや環境汚染の原因になるという問題点があった。又、特許文献３にはボンベを用いて水面に泡層を形成する具体的構成が開示されておらず、単なる願望が記載されているが、請求項３に記載のボンベから発生させた泡を水面に形成することを実現するには、便器本体内壁面にボンベと連通するパイプの先端を開設する必要性がある。便器に泡形成装置を設けることで高コスト化し、又、ボンベ交換時の水の漏れ防止対策も必要とし、構成が複雑化する。又、尿は人体の健康状態を知る手段の一つである。例えば、尿泡の異常発生は糖尿病を、尿色が赤色を呈する場合は泌尿器の病気を示すことが多い。特許文献３に開示の発明であると、放尿者が尿の状態から身体の異常を知る機会が無くなり、便器としては好ましくないという問題点があった。
男性用小便便器内壁面に自然物が付着していると、付着する自然物を尿で洗い落とそうとし付着する自然物に的を絞って放尿する放尿者の心理を利用し、蜂等の小さな虫や花の擬似形状体本体表面に所定温度で透明に変化する着色層を設け、背面には接着剤層を有する台座を連設し、該台座の肉厚は洗浄水が流下する際に水が擬似形状体本体にかからない厚みを有し、男性用小便器の内壁面のうち放尿された尿が衝突した場合に最も尿の飛散量の低い部位に接着して使用する尿飛散防止用の立体擬似形状体が提案されている（例えば、特許文献４参照）。
特許文献４に開示の発明であると、放尿時の的として使用し、尿量や尿勢がある程度以上ある場合は尿が的に届き、目的を達成する。しかしながら、尿量や尿勢が乏しい場合は尿が最も飛散しにくい位置に放尿することが不可能なため、尿飛沫の周囲への飛散は回避できないという問題点があった。
【先行技術文献】
【特許文献】
【０００３】
【特許文献１】特開２００２−８８８６６号公報
【特許文献２】特開２００６−２４７３０４号公報
【特許文献３】特開２０１１−１３１０３０号公報
【特許文献４】特許第５１７２２５６号の特許公報
【発明の概要】
【発明が解決しようとする課題】
【０００４】  本願発明は、尿が当たることで回転体が周回し、尿は羽根の表面から後続の羽根の裏面側を通って便座本体の内壁面へと流れ、羽根表面にて反射した尿は尿飛散防止壁の内壁面で便器本体内壁面方へ反射するか或は伝い流れ若しくはそのまま落下し、便器本体内壁面に沿って流れて排水口へと送り込まれるようにした尿飛散防止具を提供することを目的とする。
【課題を解決するための手段】
【０００５】  上記目的を達成するために本願発明のうち請求項１に記載の発明は、生分解性合成樹脂よりなり、便器本体の内壁面に取り付けて使用する尿飛散防止具であって、羽根及び尿飛散防止壁が回転軸と同期回転するように形成された回転体と、該回転体を回転可能に支持する回転体支持体とよりなり、前記回転体は、空気及び尿抜き部を介して上部に取っ手を連続して設けた回転軸と、羽根、及び尿飛散防止壁よりなり、前記回転軸は下方を開口した中空体に形成され、回転軸周面には複数の羽根を周方向に所定角度を有して離隔し、且つ、前記回転軸の軸心線に対して夫々が回転方向とは反対方向の同一周方向に同一角度を以って傾斜して連設され、前記空気及び尿抜き部は、前記取っ手の基部から前記回転軸の上端に亘り外傾する傾斜面に尿通過孔を穿設し、該尿通過孔は前記回転軸の中空部と連通し、尿飛散防止壁は、外傾する内壁面を具備する環状に形成され、内壁面の上端には前記羽根の外端のうち上端部が連設され、回転体支持体は、裏面に便器本体内壁に取付可能な手段を具備し、表面には支持棒を立設した台座よりなり、回転軸の中空部に、該中空部の下方開口から前記支持棒を差し込んで回転体に回転体支持体を取り付け、台座裏面を便器本体内壁面に取り付けた状態で、前記回転体に放尿すると、表面に当たった尿の作用で前記回転体は前記支持棒を中心として羽根の傾斜方向とは反対方向に回転し、尿は羽根の表面から回転方向の後方に位置する羽根の裏面側を流れて便器本体内壁面へ流れ、羽根の表面に衝突した尿のうち反射した飛散尿は、尿飛散防止壁の内壁面に衝突し、該内壁面より便器本体内壁面へと流れ、取っ手に当たった尿は、取っ手周面に沿って流下し、前記空気及び尿抜き部の尿通過孔を通過して台座面より便器本体の内壁面へ流れるようにしたことを特徴とする。
請求項２に記載の発明は、請求項１に記載の発明の羽根の傾斜角度が回転軸の軸心に対して０度を超えて４５度以下であることを特徴とする。
【発明の効果】
【０００６】  本願発明は、羽根の表面に衝突した尿の力の作用で回転体を周回するように構成されているので、放尿者は回転体を回転動させたいという欲求を有して回転体を的にしながら放尿をするという楽しみを有し、便器本体外側への尿の飛散が生じないという効果がある。
本願発明は、回転軸の周囲に複数の羽根を回転方向に対して後傾させて連設しているため、羽根の表面に衝突した尿の力の作用で回転体を一方向に周回させ、尿は羽根の表面に沿って回転方向とは反対方向に流れて便器本体の内壁面に流れ、取っ手に衝突した尿は取っ手の周面に沿って流下し尿通過孔を通過して台座上面から便器本体内壁面に流れ、羽根表面に反射し飛散した尿は尿飛散防止壁の内壁面に衝突し落下し便器本体内壁面に流れるので、回転体を的にして放出された尿は便器本体の周囲に飛散することがなく、完全に便器本体の排水口へと流れ込み、便所が衛生的であるという効果がある。
便器本体への取り付け場所を選ばず、どこへ取り付けても回転体を的にして放尿すれば、尿は周囲へ飛散しないという効果がある。
【図面の簡単な説明】
【０００７】
【図１】尿飛散防止具の平面斜視図である。（実施例１）
【図２】尿飛散防止具の正面図である。（実施例１）
【図３】尿飛散防止具の平面図である。（実施例１）
【図４】尿飛散防止具の構成を示す右側面図である。（実施例１）
【図５】図３のＡ−Ａ線断面図である。（実施例１）
【図６】尿飛散防止具の底面図である。（実施例１）
【図７】回転体の底面斜視図である。（実施例１）
【図８】洋式便器本体の内壁面に尿飛散防止具を取り付け、放尿する状態を示す説明図である。（実施例１）
【図９】小便器の便器本体の内壁面に尿飛散防止具を取り付け、放尿する状態を示す説明図である。（実施例１）
【発明を実施するための形態】
【０００８】  回転軸の軸心線に対して傾斜して羽根を設けることで、羽根の表面に尿が落下すると羽根の傾斜方向とは反対方向に回転体が回転動するようにし、且つ、羽根の表面を流れ落ちた尿は回転方向に於ける後側の羽根の下方側へ流れて台座上面を経て便座本体内壁面へと流れ、取っ手の基部から回転軸の上端に亘り尿通過孔が穿設された外傾傾斜面よりなる空気及び尿抜き部を設けることで、取っ手に落下した尿は取っ手周面を伝って流れ尿通過孔より回転軸の中空部を通過して台座上面を経て便座本体内壁面へと流れ、羽根の外端に外傾する傾斜周壁よりなる尿飛散防止壁を設けることで、羽根表面で反射し周囲に飛散した尿飛沫は尿飛散防止壁の内壁面に衝突し尿飛散防止壁の内壁面で反射し便器本体内壁面へ流れ、回転体を的として放尿すれば回転体が回転する楽しさを放尿者に与え、且つ、便器本体の周囲に尿飛沫が全く飛散しないことを実現した。
【実施例１】
【０００９】  図１〜図９を参照にして実施例について説明する。図１は尿飛散防止具の平面斜視図、図２は尿飛散防止具の正面図、図３は尿飛散防止具の平面図、図４は尿飛散防止具の構成を示す右側面図、図５は図３のＡ−Ａ線断面図、図６は尿飛散防止具の底面図、図７は回転体の底面斜視図、図８は洋式便器本体の内壁面に尿飛散防止具を取り付け、放尿する状態を示す説明図、図９は小便器の便器本体の内壁面に尿飛散防止具を取り付け、放尿する状態を示す説明図である。
尿飛散防止具１は、生分解性合成樹脂を材料としてなる回転体２と回転体支持体３とより構成される。回転体１は、回転軸４、羽根５、空気及び尿抜き部６、取っ手７及び尿飛散防止壁８よりなる。【００１０】  回転軸４は、後述する支持棒１２を差し込むための開口を下方に開設し内側が中空の全体形状が円筒状に形成されてなる。回転軸４の内側中空部の内周面のうち軸方向中途位置には、軸方向に所定幅を有し周方向に沿う掛止凸部９を内方に突き出して設け、上部は上側になるに従い漸次内径を縮径した円錐状に形成されている。つまり、回転軸４の中空部は、掛止凸部９の設けられている範囲の内径が、掛止凸部９の設けられていない部分の内径よりも短く形成されている。【００１１】  回転軸４の外周面には、複数枚の羽根５が周方向に沿って所定角度を有して離隔して回転軸４と連設されている。羽根５は回転軸４の下端から上端に亘り、羽根５の基部が連続的に設けられている。総ての羽根５は、回転軸４の軸心線に対して同一周方向に沿って同一傾斜角度を有して捻じって傾斜させて回転軸４の外周面に連設されており、回転軸４と羽根５とでスクリュープロペラ状に形成されている。各羽根５の外端の上端位置は同一面上に位置し、下端位置も同一面上に位置するように形成されている。羽根５の傾斜角度は、０度を超えて４５度未満であることが好適である。【００１２】  回転軸４の軸心線の延長線上に取っ手７の軸心線が位置し、且つ回転軸４と取っ手７との間に空気及び尿抜き部６を介在させて連続的に設けている。空気及び尿抜き部６は、回転軸４の上端縁と取っ手７の下端縁を連設する傾斜面に、周方向に所定間隔を有して離隔する位置に複数の尿通過孔１０を穿設してなる。本実施例では、尿通過孔１０は略三角形状の穿設孔に形成されているが、形状は台形状等の如何なる形状であってもよい。【００１３】  尿飛散防止壁８は、内壁及び外壁が表面側から裏面側にかけて緩やかに外側方に傾斜する外傾傾斜面を、平面から見て環状に形成している。尿飛散防止壁８の内側壁の表面側端部、つまり上端部には羽根５の外端の上端部が連設されている。総ての羽根５は、尿飛散防止壁８の内側に収まり、羽根５の外端の下端部は尿飛散防止壁８に当接していない。【００１４】  回転体支持体３は、台座１１の表面中心に支持棒１２を立設して形成されている。台座１１は円板状に形成されている。台座１１の直径は尿飛散防止壁８の裏面側の内径よりも小径に形成されていることが好適である。直径を尿飛散防止壁８の裏面側内径よりも小径にすることで、尿が台座１１の表面から便器本体１３の表面へと流れ出やすいこと、また、尿飛散防止具１の表面側から視認しにくいという美的観点からの理由による。台座１１の裏面は、便器本体１３の内壁面に水や尿によっても容易に剥離しない材質の粘着剤よりなる粘着剤層１４を被着形成している。粘着剤層１４の裏面には剥離紙（図示せず）で被覆し、使用の際に剥離紙を剥離して使用するようにするとよい。又、粘着剤層１４として、両面粘着テープを用いることも考えられる。【００１５】  支持棒１２は、回転軸４の中空部と略同じ高さに形成されている。支持棒１２の上部は円錐体状に形成され、この円錐体状部分の頂点で回転軸４の中空部の天井部を点状に支持するようにしている。このように、回転軸４の天井部を点で支持すると、回転体２の回転が一層円滑化する。支持棒１２の軸方向中途位置は、掛止凸部９よりも僅かばかり長い幅の掛止凹部１５を周方向に沿って凹設している。支持棒１２の掛止凹部１５に、回転軸４の中空部内周壁に設けた掛止凸部９を配設することで、支持棒１２は回転軸４の中空部から抜け出にくくなり、回転体２は回転体支持体３に対し離脱することなく円滑に回転動をする。【００１６】  次に作用について説明する。
図８若しくは図９に示すように、洋式便器の便器本体１３若しくは小便器の便器本体１３の内壁のうち所望位置に、台座１１の裏面に形成した粘着材層１４を介して尿飛散防止具１を接着する。放尿者が、回転体２を的にして放尿し、羽根５の表面に尿が当たると、羽根５に対する放尿の力は羽根５の傾斜方向とは反対方向に作用し、羽根５を回転軸４を中心として羽根５の傾斜方向とは反対方向に回転動させる。羽根５の表面に落下した尿は羽根５の表面の傾斜面を流下し、後方の羽根５の下方に於ける台座１１の表面を流れ、更に、便器本体１３の内壁面に沿って排水口方向へと流れる。尿勢が強い場合、羽根５の表面にて反射した尿のうち、回転方向に於ける後方に位置する羽根５の裏面に当たった尿は、そのまま台座１１の表面上に落下して便器本体１３の内壁面に沿って排水口へと流れる。羽根５の表面にて反射した尿のうち、尿飛散防止壁８の内壁面に当たった尿は、尿飛散防止壁８の内壁面を流下し、便器本体１３の内壁面に沿って排水口へと流れる。取っ手７に落下した尿は、取っ手７の周面を軸方向に沿って流れ落ち、空気及び尿抜き部６に流れ込み、回転軸４と支持棒１２との隙間を流れて台座１１の表面に流れ落ち、更に、便器本体１３の内壁面に沿って排水口方向へと流れる。
回転体２が尿の力の作用で回転することで、尿は周囲に飛散しない。又、回転体２を的にして放尿すると、放尿者には回転体２が風車のように回転するという放尿の楽しみがある。さらに、粘着剤層１４の劣化等により尿飛散防止部１が便器本体１３より剥離して下水へと流れ込んでも、生分解性合成樹脂を材料としているので、分解をし、排水管の詰まりや環境汚染の原因にはならない。
【符号の説明】
【００１７】  １  尿飛散防止具
２  回転体
３  回転体支持体
４  回転軸
５  羽根
６  空気及び尿抜き部
７  取っ手
８  尿飛散防止壁
１０  尿通過孔
１１  台座
１２  支持棒
１３  便器本体
【図１】
2015094212.tif 000003
【図２】
2015094212.tif 000004
【図３】
2015094212.tif 000005
【図４】
2015094212.tif 000006
【図５】
2015094212.tif 000007
【図６】
2015094212.tif 000008
【図７】
2015094212.tif 000009
【図８】
2015094212.tif 000010
【図９】
2015094212.tif 000011